(57)【特許請求の範囲】
【請求項１】
両端面と前記両端面の間の周面とを含む巻芯部と、
前記巻芯部の前記両端面に設けられた鍔部と、
前記巻芯部の前記周面に巻回された第１ワイヤおよび第２ワイヤと
を備え、
前記巻芯部の周面は、
前記端面から中央に向かって前記巻芯部の軸に近づくように傾斜しかつ上端が前記端面に接続された傾斜面と、
前記巻芯部の周面の中央側に設けられた突起部と
を有し、
前記突起部は、２つの斜面を有し、前記２つの斜面は、それぞれ前記巻芯部の端面から離れるにしたがって前記巻芯部の軸から離れるように傾斜し、
前記第１ワイヤは、前記突起部の両側においてそれぞれ、最も前記端面側のターンが前記傾斜面に接して位置し、最も前記突起部側のターンが前記斜面に位置するように１層目として巻回され、
前記第２ワイヤは、前記突起部の両側においてそれぞれ、前記１層目の第１ワイヤ上に巻回されている、コイル部品。
【請求項２】
前記周面は、周方向に配置された複数の面から構成され、
前記傾斜面は、前記複数の面のうちの一面に設けられ、前記一面の周方向の全長に渡って、延在している、請求項１に記載のコイル部品。
【請求項３】
前記周面は、周方向に配置された複数の面から構成され、
前記突起部は、前記複数の面のうちの一面に設けられ、前記一面の周方向の全長に渡って、延在している、請求項１または２に記載のコイル部品。
【請求項４】
前記巻芯部は、前記周面の前記中央側に設けられる頂部を含む凸面を有し、
前記凸面は、前記頂部ほど前記軸から離れるように傾斜し、前記１層目の第１ワイヤの最も前記頂部側のターンは、前記凸面に位置する、請求項１から３の何れか一つに記載のコイル部品。
【請求項５】
前記周面は、周方向に配置された複数の面から構成され、
前記凸面は、前記複数の面のうちの一面に設けられ、前記一面の周方向の全長に渡って、延在している、請求項４に記載のコイル部品。
【請求項６】
前記鍔部は、前記巻芯部と反対側の端面を有し、
前記鍔部の前記端面には、溝部が設けられ、
前記溝部には、前記第１ワイヤまたは前記第２ワイヤが電気的に接続される電極が配置される、請求項１から５の何れか一つに記載のコイル部品。
【請求項７】
両端面と前記両端面の間の周面とを含む巻芯部と、
前記巻芯部の前記両端面に設けられた鍔部と、
前記巻芯部の前記周面に巻回された第１ワイヤおよび第２ワイヤと
を備え、
前記巻芯部の周面は、
前記端面から中央に向かって前記巻芯部の軸に近づくように傾斜しかつ上端が前記端面に接続された傾斜面と、
それぞれ前記端面から離れるにしたがって前記軸から離れるように傾斜する２つの斜面を有しかつ前記周面の中央側に設けられた突起部と
を有し、
前記周面は、複数の面から構成され、前記傾斜面と前記突起部は、前記周面のうちの異なる面に設けられ、
前記第１ワイヤは、前記突起部の両側においてそれぞれ、最も前記端面側のターンが前記傾斜面に接して位置し、最も前記突起部側のターンが前記斜面に位置するように１層目として巻回され、
前記第２ワイヤは、前記突起部の両側においてそれぞれ、前記１層目の第１ワイヤ上に巻回されている、コイル部品。
【発明の詳細な説明】
【技術分野】
【０００１】
本発明は、コイル部品に関する。
【背景技術】
【０００２】
従来、コイル部品としては、特開２０１４−１２０７３０号公報（特許文献１）に記載されたものがある。コイル部品は、両端面と両端面の間の周面とを含む巻芯部と、巻芯部の両端面に設けられた鍔部と、巻芯部の周面に巻回された第１ワイヤおよび第２ワイヤとを有する。周面の両端面側では、１層目の第１ワイヤと２層目の第２ワイヤとの２層のワイヤが巻回されている。つまり、周面の両端側の２層のワイヤは、周面の中央側に空間を有するように、離隔している。
【先行技術文献】
【特許文献】
【０００３】
【特許文献１】特開２０１４−１２０７３０号公報
【発明の概要】
【発明が解決しようとする課題】
【０００４】
ところで、前記従来のコイル部品では、ワイヤの巻回しにおいて、１層目の第１ワイヤを巻芯部に巻回してから、第１ワイヤ上に２層目の第２ワイヤを巻回していくが、第１ワイヤの巻回しの開始位置が、例えば、巻線機によるワイヤの巻回しのばらつきにより、製品毎にばらつくおそれがある。
【０００５】
また、巻芯部の両端側の２層のワイヤは、中央側に空間を有するように、離隔しているので、第１ワイヤを巻芯部に巻回すとき、第１ワイヤのターン間隔は、中央側で、広くなる。その後、第１ワイヤ上に第２ワイヤを巻回していくと、第２ワイヤの巻回の進行方向に第１ワイヤが引っ張られる。このとき、第１ワイヤのターン間隔は、中央側で、広いため、第１ワイヤは、中央側に向かって、くずれやすくなる。
【０００６】
したがって、１層目の第１ワイヤと２層目の第２ワイヤとの位置関係がずれてしまい、第１ワイヤと第２ワイヤの電気的な対称性が低下して、モード変換特性が劣化する。
【０００７】
そこで、本発明の課題は、第１ワイヤおよび第２ワイヤの巻き乱れを小さくすることによって、第１ワイヤと第２ワイヤの電気的な対称性が安定し、特性のばらつきを低減することができるコイル部品を提供することにある。
【課題を解決するための手段】
【０００８】
前記課題を解決するため、本発明のコイル部品は、
両端面と前記両端面の間の周面とを含む巻芯部と、
前記巻芯部の前記両端面に設けられた鍔部と、
前記巻芯部の前記周面に巻回された第１ワイヤおよび第２ワイヤと
を備え、
前記巻芯部の周面は、
前記端面から中央に向かって前記巻芯部の軸に近づくように傾斜しかつ上端が前記端面に接続された傾斜面と、
それぞれ前記端面から離れるにしたがって前記軸から離れるように傾斜する２つの斜面を有しかつ前記周面の中央側に設けられた突起部と
を有し、
前記第１ワイヤは、前記突起部の両側においてそれぞれ、最も前記端面側のターンが前記傾斜面に接して位置し、最も前記突起部側のターンが前記斜面に位置するように１層目として巻回され、
前記第２ワイヤは、前記突起部の両側においてそれぞれ、前記１層目の第１ワイヤ上に巻回されている。
【０００９】
本発明のコイル部品によれば、巻芯部の周面は、端面から中央に向かって巻芯部の軸に近づくように傾斜しかつ上端が端面に接続された傾斜面を有し、１層目の第１ワイヤの最も端面側のターンは、傾斜面に接して位置する。したがって、ワイヤの巻き付けにおいて、１層目の第１ワイヤの最も端面側のターンが、傾斜面に位置することで、１層目の第１ワイヤの位置が安定する。
【００１０】
また、巻芯部の周面は、それぞれ端面から離れるにしたがって軸から離れるように傾斜する２つの斜面を有しかつ周面の中央側に設けられた突起部を有し、１層目の第１ワイヤの最も突起部側のターンは、突起部の斜面に位置する。したがって、ワイヤの巻き付けにおいて、１層目の第１ワイヤの最も突起部側のターンが、斜面に位置することで、第１ワイヤは、巻芯部の端面方向に力を受けて、２層目の第２ワイヤを第１ワイヤに巻き付ける際に、１層目の第１ワイヤが、巻芯部の中央方向に崩れることを抑制できる。
【００１１】
したがって、２層のワイヤにおいて、１層目の第１ワイヤの最も端面側のターンが傾斜面に位置し、１層目の第１ワイヤの最も突起部側のターンが突起部の斜面に位置することで、１層目の第１ワイヤは、傾斜面と斜面で挟まれて安定した状態で保持される。したがって、第１ワイヤおよび第２ワイヤの巻き乱れを小さくすることによって、第１ワイヤと第２ワイヤの電気的な対称性が安定し、特性のばらつきを低減することができる。
【００１２】
好ましくは、一実施形態のコイル部品では、
前記周面は、周方向に配置された複数の面から構成され、
前記傾斜面は、前記複数の面のうちの一面に設けられ、前記一面の周方向の全長に渡って、延在している。
【００１３】
前記実施形態のコイル部品によれば、傾斜面は、周面の一面の周方向の全長に渡って、延在しているので、ワイヤの巻き付けにおいて、１層目の第１ワイヤを傾斜面に一層確実に位置させることができ、１層目の第１ワイヤの位置を一層確実に安定させることができる。
【００１４】
好ましくは、一実施形態のコイル部品では、
前記周面は、周方向に配置された複数の面から構成され、
前記突起部は、前記複数の面のうちの一面に設けられ、前記一面の周方向の全長に渡って、延在している。
【００１５】
前記実施形態のコイル部品によれば、突起部は、周面の一面の周方向の全長に渡って、延在しているので、ワイヤの巻き付けにおいて、１層目の第１ワイヤを突起部の第１斜面および第２斜面に一層確実に位置させることができ、１層目の第１ワイヤの巻芯部の中央方向への巻崩れを一層抑制することができる。
【００１６】
好ましくは、一実施形態のコイル部品では、
前記巻芯部は、前記周面の前記中央側に設けられる頂部を含む凸面を有し、
前記凸面は、前記頂部ほど前記軸から離れるように傾斜し、前記１層目の第１ワイヤの最も前記頂部側のターンは、前記凸面に位置する。
【００１７】
前記実施形態のコイル部品によれば、巻芯部の凸面は、頂部ほど巻芯部の軸から離れるように傾斜し、１層目の第１ワイヤの最も頂部側のターンは、凸面に位置する。したがって、ワイヤの巻き付けにおいて、１層目の第１ワイヤの最も頂部側のターンが、凸面に位置することで、第１ワイヤは、頂部と反対方向（巻芯部の端面方向）に力を受けて、２層目の第２ワイヤを第１ワイヤに巻き付ける際に、１層目の第１ワイヤが、頂部方向（巻芯部の中央方向）に崩れることを抑制できる。したがって、第１ワイヤおよび第２ワイヤの巻き乱れを一層小さくすることができる。
【００１８】
好ましくは、一実施形態のコイル部品では、
前記周面は、周方向に配置された複数の面から構成され、
前記凸面は、前記複数の面のうちの一面に設けられ、前記一面の周方向の全長に渡って、延在している。
【００１９】
前記実施形態のコイル部品によれば、凸面は、周面の一面の周方向の全長に渡って、延在しているので、ワイヤの巻き付けにおいて、１層目の第１ワイヤを凸面に一層確実に位置させることができ、１層目の第１ワイヤの頂部方向への巻崩れを一層抑制することができる。
【００２０】
好ましくは、一実施形態のコイル部品では、
前記鍔部は、前記巻芯部と反対側の端面を有し、
前記鍔部の前記端面には、溝部が設けられ、
前記溝部には、前記第１ワイヤまたは前記第２ワイヤが電気的に接続される電極が配置される。
【００２１】
前記実施形態のコイル部品によれば、鍔部の端面の溝部には、第１、第２ワイヤが電気的に接続される電極が配置されるので、電極の厚みに関わらず、鍔部の端面の面精度を上げることができる。したがって、鍔部の端面をチャックして、巻線機によりワイヤを巻回すとき、電極の厚みに関わらず、鍔部を一定の位置となるようにチャックできて、ワイヤを巻芯部の一定の位置に巻回すことができる。この結果、ワイヤの巻崩れを抑制できる。
【発明の効果】
【００２２】
本発明のコイル部品によれば、第１ワイヤおよび第２ワイヤの巻き乱れを小さくすることによって、第１ワイヤと第２ワイヤの電気的な対称性が安定し、特性のばらつきを低減することができる。
【図面の簡単な説明】
【００２３】
【図１】本発明の第１実施形態のコイル部品を示す斜視図である。
【図２】コイル部品の底面側からみた簡略図である。
【図３】コアの斜視図である。
【図４】巻芯部の傾斜面の拡大断面図である。
【図５】傾斜面の平面部による第１ワイヤの動作を説明する説明図である。
【図６】傾斜面の曲面部による第１ワイヤの動作を説明する説明図である。
【図７】巻芯部の突起部の拡大断面図である。
【図８Ａ】第１、第２ワイヤの径が最小となる場合の突起部の第１斜面と第１、第２ワイヤとの位置関係を説明する説明図である。
【図８Ｂ】第１、第２ワイヤの径が最大となる場合の突起部の第１斜面と第１、第２ワイヤとの位置関係を説明する説明図である。
【図９】突起部の第１斜面上の２層のワイヤにかかる力を説明する説明図である。
【図１０】１層目の第１ワイヤのずれる力と突起部の第１斜面の傾斜角度との関係を示すグラフである。
【図１１】コイル部品の第２鍔部の外端面をチャックした状態を説明する説明図である。
【図１２】本発明の第２実施形態のコイル部品を示す断面図である。
【発明を実施するための形態】
【００２４】
以下、本発明を図示の実施の形態により詳細に説明する。
【００２５】
（第１実施形態）
図１は、本発明の第１実施形態のコイル部品を示す斜視図である。図２は、コイル部品の底面側からみた簡略図である。図３は、コアの斜視図である。図１から図３に示すように、コイル部品１は、コモンモードチョークコイルである。コイル部品１は、コア１０と、コア１０に取り付けられる天板１５と、コア１０に取り付けられる第１、第２電極５１，５２と、コア１０に巻回され、第１、第２電極５１，５２に電気的に接続される第１、第２ワイヤ２１，２２とを有する。
【００２６】
コア１０は、一対の第１、第２鍔部１１，１２と、一対の第１、第２鍔部１１，１２を連結する巻芯部１３とを有する。コア１０の材料としては、例えば、アルミナ（非磁性体）や、Ｎｉ−Ｚｎ系フェライト（磁性体、絶縁体）や、樹脂などの誘電率が２０以下の材料を用いる。
【００２７】
コア１０の底面を、実装基板に実装され得る面とし、コア１０の天面を、コア１０の底面と反対側の面とする。巻芯部１３の第１、第２鍔部１１，１２を連結する方向（巻芯部１３の軸Ｌ方向）をＸ方向とし、コア１０の底面においてＸ方向と直交する方向をＹ方向とし、コア１０の底面と天面とを結ぶ方向をＺ方向とする。Ｚ方向は、Ｘ方向およびＹ方向と直交する。Ｘ方向は、コイル部品１の長さ方向であり、Ｙ方向は、コイル部品１の幅方向であり、Ｚ方向は、コイル部品１の高さ方向である。
【００２８】
巻芯部１３は、両端面１３１，１３２と、両端面１３１，１３２の間の周面１３３〜１３６とを含む。巻芯部１３のＹＺ平面における断面形状は、長方形である。巻芯部１３は、第１端面１３１から第２端面１３２に向かって軸Ｌ方向に延在する。周面は、実装基板側の底面１３３と、底面１３３にＺ方向に対向する天面１３４と、底面１３３と天面１３４との間に位置する第１、第２側面１３５，１３６とを有する。第１側面１３５と第２側面１３６とは、Ｙ方向に対向する。
【００２９】
第１鍔部１１は、巻芯部１３の第１端面１３１に接続される。第１鍔部１１のＹＺ平面における断面形状は、長方形である。第１鍔部１１は、実装基板に実装され得る底面１１１と、底面１１１にＺ方向に対向する天面１１２と、底面１１１と天面１１２との間に位置する第１、第２側面１１３，１１４および内、外端面１１５，１１６とを有する。第１側面１１３と第２側面１１４とは、Ｙ方向に対向する。内端面１１５と外端面１１６とは、Ｘ方向に対向する。内端面１１５は、巻芯部１３側に位置する。外端面１１６は、巻芯部１３と反対側に位置する。
【００３０】
第１鍔部１１の外端面１１６には、２つの溝部１１６ａが設けられている。溝部１１６ａは、Ｚ方向に延在し、底面１１１および天面１１２に開口している。２つの溝部１１６ａは、Ｙ方向に並んで配置されている。
【００３１】
第２鍔部１２は、巻芯部１３の第２端面１３２に接続される。第２鍔部１２のＹＺ平面における断面形状は、長方形である。第２鍔部１２は、第１鍔部１１と同様に、底面１２１と、天面１２２と、第１側面１２３と、第２側面１２４と、内端面１２５と、外端面１２６とを有する。巻芯部１３の第１側面１３５と第１鍔部１１の第１側面１１３と第２鍔部１２の第１側面１２３とは、Ｙ方向の同じ側に位置する。
【００３２】
第２鍔部１２の外端面１２６には、２つの溝部１２６ａが設けられている。溝部１２６ａは、Ｚ方向に延在し、底面１２１および天面１２２に開口している。２つの溝部１２６ａは、Ｙ方向に並んで配置されている。
【００３３】
天板１５は、第１鍔部１１の天面１１２と第２鍔部１２の天面１２２とに取り付けられる。天板１５は、コア１０の材料と同じである。コア１０と天板１５は、閉磁路を構成している。
【００３４】
第１電極５１は、第１鍔部１１に、２つ設けられる。第１電極５１は、底面１１１と外端面１１６とに渡って取り付けられる。一方の第１電極５１は、第１側面１１３側の溝部１１６ａに配置される。他方の第１電極５１は、第２側面１１４側の溝部１１６ａに配置される。
【００３５】
第２電極５２は、第２鍔部１２に、２つ設けられる。第２電極５２は、底面１２１と外端面１２６とに渡って取り付けられる。一方の第２電極５２は、第１側面１２３側の溝部１２６ａに配置される。他方の第２電極５２は、第２側面１２４側の溝部１２６ａに配置される。
【００３６】
第１、第２電極５１，５２は、例えば、Ｃｕ、Ａｇ、Ａｕ等の材料から構成される。また、第１、第２電極５１，５２は、例えば、金属板を折り曲げて構成してもよく、または、導電性ペーストをスパッタやめっき等により付着して構成してもよい。第１、第２電極５１，５２は、実装基板の電極に電気的に接続される。
【００３７】
第１、第２ワイヤ２１，２２は、巻芯部１３の周面１３３〜１３６にコイル状に巻回されている。第１、第２ワイヤ２１，２２は、例えば、Ｃｕ、Ａｇ、Ａｕ等の導体と導体を被覆する被膜とを有する。
【００３８】
第１ワイヤ２１の第１端部２１ａは、第１鍔部１１の第１側面１１３側の第１電極５１に電気的に接続される。第１ワイヤ２１の第２端部２１ｂは、第２鍔部１２の第１側面１２３側の第２電極５２に電気的に接続される。
【００３９】
第２ワイヤ２２の第１端部２２ａは、第１鍔部１１の第２側面１１４側の第１電極５１に電気的に接続される。第２ワイヤ２２の第２端部２２ｂは、第２鍔部１２の第２側面１２４側の第２電極５２に電気的に接続される。
【００４０】
第１、第２ワイヤ２１，２２は、いわゆる、レイヤ巻きにより、巻芯部１３に巻回される。第１ワイヤ２１は、巻芯部１３の周面に直接巻回されて１層目を構成しており、第２ワイヤ２２は、一部を除き、１層目の第１ワイヤ２１の外側に重ねて巻回されて２層目を構成している。第１ワイヤ２１と第２ワイヤ２２は、同じターン数である。この実施形態では、１２ターンである。図２では、第１ワイヤ２１をハッチングで示し、第２ワイヤ２２を白抜きで示す。
【００４１】
第１ワイヤ２１のターン間隔は、巻芯部１３の周面の両端面１３１，１３２側で狭くなり、かつ、巻芯部１３の周面の中央側で広くなっている。第１ワイヤ２１は、全ターン数の半分のターン数でスペースをあけて、巻回されている。つまり、第１ワイヤ２１は、１ターンから６ターンまで密となり、６ターンと７ターンとの間でスペースをあけ、７ターンから１２ターンまで密となるように、巻回されている。
【００４２】
第２ワイヤ２２は、１ターンから５ターンまで、１層目の第１ワイヤ２１上に巻回され、６ターンから７ターンまで、第１ワイヤ２１の６ターンと７ターンとの間のスペースに巻回され、８ターンから１２ターンまで、１層目の第１ワイヤ２１上に巻回されている。このとき、第２ワイヤ２２の６ターンと７ターンとの間は、第１ワイヤ２１の６ターンと７ターンとの間と交差している。
【００４３】
このように、巻芯部１３の周面の両端面１３１，１３２側では、１層目の第１ワイヤ２１と２層目の第２ワイヤ２２との２層のワイヤ２１，２２が巻回される。巻芯部１３の周面の中央側では、１層の第２ワイヤ２２が巻回され、第１ワイヤ２１が第２ワイヤ２２と交差している。第１ワイヤ２１の第２ワイヤ２２との交差部２１ｃは、巻芯部１３の底面１１１に位置している。
【００４４】
巻芯部１３の周面は、天面１３４の第１、第２端面１３１，１３２側のそれぞれに設けられた傾斜面３０と、第１側面１３５の中央側に設けられた突起部４０とを有する。傾斜面３０は、天面１３４のＹ方向（周方向）の全長に渡って、延在している。突起部４０は、第１側面１３５のＺ方向（周方向）の全長に渡って、延在している。
【００４５】
傾斜面３０は、端面１３１，１３２から中央に向かって巻芯部１３の軸Ｌに近づくように傾斜する。傾斜面３０の上端は、端面１３１，１３２に接続される。突起部４０は、巻芯部１３の軸Ｌに沿って配置される第１斜面４１および第２斜面４２を有する。第１斜面４１は、第１端面１３１側に配置され、第２斜面４２は、第２端面１３２側に配置される。第１斜面４１および第２斜面４２は、それぞれ、端面１３１，１３２から離れるにしたがって軸Ｌから離れるように傾斜する。突起部４０は、第１斜面４１と第２斜面４２との間に頂部４３を有するが、頂部４３を設けなくてもよい。
【００４６】
第１ワイヤ２１は、突起部４０の両側においてそれぞれ、最も端面１３１，１３２側のターンが傾斜面３０に接して位置し、最も突起部４０側のターンが斜面４１，４２に位置するように１層目として巻回される。第２ワイヤは、突起部４０の両側においてそれぞれ、１層目の第１ワイヤ２１上に巻回されている。
【００４７】
具体的に述べると、２層のワイヤ２１，２２は、第１端面１３１側の傾斜面３０と突起部４０との間、および、第２端面１３２側の傾斜面３０と突起部４０との間に巻回されている。第１端面１３１側の傾斜面３０と突起部４０との間の２層のワイヤ２１，２２において、１層目の第１ワイヤ２１の最も第１端面１３１側のターン（図２では１ターン）は、傾斜面３０に位置し、１層目の第１ワイヤ２１の最も突起部４０側のターン（図２では６ターン）は、突起部４０の第１斜面４１に位置する。同様に、第２端面１３２側の傾斜面３０と突起部４０との間の２層のワイヤ２１，２２において、１層目の第１ワイヤ２１の最も第２端面１３２側のターン（図２では１２ターン）は、傾斜面３０に位置し、１層目の第１ワイヤ２１の最も突起部４０側のターン（図２では７ターン）は、突起部４０の第２斜面４２に位置する。
【００４８】
したがって、第１端面１３１側の傾斜面３０と突起部４０との間の２層のワイヤ２１，２２において、１層目の第１ワイヤ２１は、傾斜面３０と第１斜面４１で挟まれて安定した状態で保持される。このため、１層目の第１ワイヤ２１上に２層目の第２ワイヤ２２を巻回しても、１層目の第１ワイヤ２１の巻崩れを抑制できる。同様に、第２端面１３２側の傾斜面３０と突起部４０との間の２層のワイヤ２１，２２においても、１層目の第１ワイヤ２１の巻崩れを抑制できる。
【００４９】
図３と図４に示すように、傾斜面３０は、天面１３４におけるＸ方向に平行な水平面３５に接続される。傾斜面３０は、第１端面１３１に接続される平面部３１と、平面部３１と水平面３５の間に接続される曲面部３２とを有する。平面部３１は、水平面３５に対して、予め定められた一定の傾斜角度αで傾斜している。曲面部３２は、予め定められた一定の曲率半径を有する。なお、曲面部３２を省略して平面部３１のみとしてもよく、または、平面部３１を省略して曲面部３２のみとしてもよい。また、平面部３１を複数の傾斜角度を有するように設定してもよく、曲面部３２を複数の曲率半径を有するように設定してもよい。
【００５０】
傾斜面３０のＸ方向の幅Ｗは、巻線機によるワイヤの巻回しのばらつきを吸収できる幅を有する。具体的に述べると、巻線機によるワイヤの巻回しのばらつきは、最大２０μｍであるため、幅Ｗは、例えば、２０μｍ以上である。
【００５１】
平面部３１について説明する。図５に示すように、第１ワイヤ２１を巻芯部１３に巻き付けるとき、第１ワイヤ２１が、仮想線に示すように、平面部３１の上方で接触しても、平面部３１は、傾斜しているため、第１ワイヤ２１が、実線に示すように、平面部３１を滑り落ちる。平面部３１の傾斜角度αは、例えば、平面部３１と第１ワイヤ２１との摩擦係数を１つの要素として、第１ワイヤ２１が平面部３１を滑ることができるように、設定される。
【００５２】
曲面部３２について説明する。図６に示すように、曲面部３２の曲率半径は、第１ワイヤ２１の半径よりも小さい。第１ワイヤ２１の半径は、例えば、２５μｍから３０μｍであるため、曲面部３２の曲率半径は、例えば、２０μｍである。これにより、第１ワイヤ２１は、曲面部３２に２点で接触し、曲面部３２に位置決めされる。
【００５３】
図３と図７に示すように、突起部４０の第１斜面４１のＸ方向の長さＤ１は、予め定められた長さを有する。第１斜面４１は、第１側面１３５におけるＸ方向に平行な水平面４５に対して、予め定められた傾斜角度β１で傾斜している。同様に、突起部４０の第２斜面４２のＸ方向の長さＤ２は、予め定められた長さを有する。第２斜面４２は、水平面４５に対して、予め定められた傾斜角度β２で傾斜している。
【００５４】
第１斜面４１の長さＤ１について説明する。図８Ａに示すように、第１、第２ワイヤ２１，２２の径が最小となる場合、２層のワイヤ２１，２２の１層の第１ワイヤ２１の巻芯部１３中央側（頂部４３側）のターンは、第１斜面４１に位置する。一方、図８Ｂに示すように、第１、第２ワイヤ２１，２２の径が最大となる場合も、２層のワイヤ２１，２２の１層の第１ワイヤ２１の巻芯部１３中央側（頂部４３側）のターンは、第１斜面４１に位置する。図８Ａと図８Ｂでは、第１ワイヤ２１をハッチングにて示し、第２ワイヤ２２を白抜きで示す。
【００５５】
このように、第１斜面４１の長さＤ１は、第１、第２ワイヤ２１，２２の径が最小または最大となる何れの場合でも、２層のワイヤ２１，２２の１層の第１ワイヤ２１の巻芯部１３中央側のターンは、第１斜面４１に位置するように、設定される。したがって、ワイヤ２１，２２の径の大きさがばらついたとしても、２層のワイヤ２１，２２の１層の第１ワイヤ２１の巻芯部１３中央側のターンは、第１斜面４１に位置する。したがって、１層目の第１ワイヤ２１が、第１斜面４１に位置することで、第１ワイヤ２１は、巻芯部１３の端面方向に力を受けて、２層目の第２ワイヤ２２を第１ワイヤ２１に巻き付ける際に、１層目の第１ワイヤ２１が巻芯部１３の中央方向（頂部４３方向）に崩れることを抑制できる。
【００５６】
第２斜面４２の長さＤ２についても、第１斜面４１の長さＤ１と同様である。なお、第１斜面４１の長さＤ１と第２斜面４２の長さＤ２とが、異なっていてもよく、または、同じであってもよい。
【００５７】
頂部４３は、水平面４５と平行な面である。なお、頂部４３の形状は、ＸＹ断面において、直線でなく、点や曲線であってもよい。
【００５８】
突起部４０は、第１ワイヤ２１の第２ワイヤ２２との交差部２１ｃ（図２参照）と異なる面に設けられている。これにより、交差部２１ｃが、突起部４０に接触することを防止できる。また、突起部４０は、突起部４０のＸ方向の中心が、交差部２１ｃと交差するＹＺ断面と一致するように、配置される。これにより、両端側の２層のワイヤ２１，２２を、突起部４０の第１、第２斜面４１，４２に均等に配置することができる。
【００５９】
第１斜面４１の傾斜角度β１について説明する。図９に示すように、２層目の第２ワイヤ２２にかかる力のつりあいを考える。第２ワイヤ２２が一方の第１ワイヤ２１から受ける力をＦａ１とし、第２ワイヤ２２が他方の第１ワイヤ２１から受ける力をＦａ２とし、第２ワイヤ２２が重力により受ける力をＦｂとする。
【００６０】
水平方向（Ｘ方向）において、
Ｆａ１×ｃｏｓ（６０°＋β１）＝Ｆａ２×ｃｏｓ（６０°−β１）・・・式１
を満たす。式１を変形して、
Ｆａ１＝Ｆａ２×ｃｏｓ（６０°−β１）／ｃｏｓ（６０°＋β１）・・・式２
とする。
【００６１】
垂直方向（Ｙ方向）において、
Ｆａ１×ｓｉｎ（６０°＋β１）＋Ｆａ２×ｓｉｎ（６０°−β１）＝Ｆｂ・・・式３
を満たす。
【００６２】
そして、式２を式３へ代入すると、
Ｆａ２｛ｓｉｎ（６０°＋β１）×ｃｏｓ（６０°−β１）／ｃｏｓ（６０°＋β１）＋ｓｉｎ（６０°−β１）｝＝Ｆｂ・・・式４
となる。
【００６３】
頂部４３側の第１ワイヤ２１が頂部４３側にずれようとする力をＴとすると、
Ｔ＝Ｆａ２×ｃｏｓ６０°・・・式５
となる。
【００６４】
そして、式５に式４を代入すると、
0006572555.tif 000002
となる。
【００６５】
そして、図１０に、式６についてのグラフを示す。図１０では、横軸に傾斜角度β１[ｄｅｇ]を示し、縦軸にずれる力Ｔ[Ｎ]を示す。式６のＦｂを１とする。図１０に示すように、傾斜角度β１が３０°であるとき、ずれる力Ｔはほぼ０となる。傾斜角度β１が０°であるときのずれる力Ｔが３割減から１０割減となる傾斜角度β１は、１０°〜３０°となる。したがって、傾斜角度β１が１０°〜３０°であるとき、第１ワイヤ２１の頂部４３側へのずれを抑制できる。
【００６６】
このように、第１斜面４１の傾斜角度β１は、頂部４３側の第１ワイヤ２１の頂部４３側へのずれを抑制できる角度に、設定される。したがって、２層のワイヤ２１，２２のうちの１層目の第１ワイヤ２１は、第１斜面４１の傾斜角度β１を予め定められた設定値とすることで、巻芯部１３の中央方向（頂部４３方向）に崩れることを抑制できる。
【００６７】
第２斜面４２の傾斜角度β２についても、第１斜面４１の傾斜角度β１と同様である。なお、第１斜面４１の傾斜角度β１と第２斜面４２の傾斜角度β２とが、異なっていてもよく、または、同じであってもよい。
【００６８】
前記コイル部品１によれば、巻芯部１３の周面は、端面１３１，１３２から中央に向かって巻芯部１３の軸Ｌに近づくように傾斜しかつ上端が端面に接続された傾斜面３０を有し、１層目の第１ワイヤ２１の最も端面１３１，１３２側のターンは、傾斜面３０に接して位置する。したがって、ワイヤ２１，２２の巻き付けにおいて、１層目の第１ワイヤ２１の最も端面１３１，１３２側のターンが、傾斜面３０に位置することで、１層目の第１ワイヤ２１の位置が安定する。
【００６９】
また、巻芯部１３の周面は、それぞれ端面１３１，１３２から離れるにしたがって軸Ｌから離れるように傾斜する２つの斜面４１，４２を有しかつ周面の中央側に設けられた突起部４０を有し、１層目の第１ワイヤ２１の最も突起部４０側のターンは、突起部４０の斜面４１，４２に位置する。したがって、ワイヤ２１，２２の巻き付けにおいて、１層目の第１ワイヤ２１の最も突起部４０側のターンが、斜面４１，４２に位置することで、第１ワイヤ２１は、巻芯部１３の端面１３１，１３２方向に力を受けて、２層目の第２ワイヤ２２を第１ワイヤ２１に巻き付ける際に、１層目の第１ワイヤ２１が、巻芯部１３の中央方向に崩れることを抑制できる。
【００７０】
したがって、２層のワイヤ２１，２２において、１層目の第１ワイヤ２１の最も端面１３１，１３２側のターンが傾斜面３０に位置し、１層目の第１ワイヤ２１の最も突起部４０のターンが突起部４０の斜面４１，４２に位置することで、１層目の第１ワイヤ２１は、傾斜面３０と斜面４１，４２で挟まれて安定した状態で保持される。したがって、第１ワイヤ２１および第２ワイヤ２２の巻き乱れを小さくすることによって、第１ワイヤ２１と第２ワイヤ２２の電気的な対称性が安定し、特性のばらつきを低減することができる。
【００７１】
また、傾斜面３０は、天面１３４のＹ方向の全長に渡って、延在しているので、ワイヤ２１，２２の巻き付けにおいて、１層目の第１ワイヤ２１を傾斜面３０に一層確実に位置させることができ、１層目の第１ワイヤ２１の位置を一層確実に安定させることができる。
【００７２】
また、突起部４０は、第１側面１３５のＺ方向の全長に渡って、延在しているので、ワイヤ２１，２２の巻き付けにおいて、１層目の第１ワイヤ２１を突起部４０の第１斜面４１および第２斜面４２に一層確実に位置させることができ、１層目の第１ワイヤ２１の巻芯部１３の中央方向への巻崩れを一層抑制することができる。
【００７３】
また、第１鍔部１１の外端面１１６の溝部１１６ａには、第１電極５１が配置され、第２鍔部２１の外端面１２６の溝部１２６ａには、第２電極５１が配置されるので、第１、第２電極５１，５２の厚みに関わらず、第１鍔部１１の外端面１１６の面精度、および、第２鍔部２１の外端面１２６の面精度を上げることができる。
【００７４】
したがって、図１１に示すように、第２鍔部１２の外端面１２６をチャック部７０によりチャックして、チャック部７０によりコア１０を巻芯部１３の軸Ｌを中心として回転させ、巻線機によりワイヤ２１，２２を巻回すとき、第１、第２電極５１，５２の厚みに関わらず、第２鍔部１２を一定の位置にチャックできて、ワイヤ２１，２２を巻芯部１３の一定の位置に巻回すことができる。この結果、ワイヤ２１，２２の巻崩れを抑制できる。  （第２実施形態）
図１２は、本発明の第２実施形態のコイル部品を示す断面図である。第２実施形態は、第１実施形態とは、巻芯部の天面の構成のみが相違する。この相違する構成のみを以下に説明する。なお、第２実施形態において、第１実施形態と同一の符号は、第１実施形態と同じ構成であるため、その説明を省略する。
【００７５】
図１２に示すように、コイル部品１Ａの巻芯部１３Ａの天面１３４Ａは、凸面６０を有する。凸面６０は、天面１３４ＡのＸ方向の中央側（巻芯部１３Ａの周面の中央側）に、頂部６１を含む。凸面６０は、頂部６１ほど巻芯部１３Ａの軸Ｌから離れるように傾斜する。（図２に示す）２層のワイヤ２１，２２の１層目の第１ワイヤ２１の最も頂部６１側のターンは、凸面６０に位置する。ＸＺ断面において、凸面６０の形状は、直線であり、頂部６１の形状は、点である。なお、凸面６０の形状は、曲線であってもよく、頂部６１の形状は、直線または曲線であってもよい。
【００７６】
したがって、ワイヤ２１，２２の巻き付けにおいて、１層目の第１ワイヤ２１の最も頂部６１側のターンが、凸面６０に位置することで、第１ワイヤ２１は、頂部６１と反対方向（巻芯部１３Ａの端面方向）に力を受けて、２層目の第２ワイヤ２２を第１ワイヤ２１に巻き付ける際に、１層目の第１ワイヤ２１が頂部６１方向（巻芯部１３Ａの中央方向）に崩れることを抑制できる。したがって、第１ワイヤ２１および第２ワイヤ２２の巻き乱れを一層小さくすることができる。
【００７７】
また、凸面６０は、天面１３４ＡのＹ方向（周方向）の全長に渡って、延在している。したがって、ワイヤ２１，２２の巻き付けにおいて、１層目の第１ワイヤ２１を凸面６０に一層確実に位置させることができ、１層目の第１ワイヤ２１の頂部６１方向への巻崩れを一層抑制することができる。
【００７８】
なお、本発明は上述の実施形態に限定されず、本発明の要旨を逸脱しない範囲で設計変更可能である。
【００７９】
前記実施形態では、傾斜面は、天面の周方向の全長に渡って、延在しているが、天面の周方向の一部に、設けるようにしてもよい。同様に、突起部は、第１側面の周方向の全長に渡って、延在しているが、第１側面の周方向の一部に、設けるようにしてもよい。
【００８０】
前記実施形態では、傾斜面を、天面に設けているが、天面に加えて、または、天面に代えて、他の面に設けるようにしてもよい。同様に、突起部を、第１側面に設けているが、第１側面に加えて、または、第１側面に代えて、他の面に設けるようにしてもよい。
【００８１】
前記実施形態では、傾斜面と突起部とを異なる面に設けているが、同じ面に設けるようにしてもよい。
【００８２】
前記実施形態では、巻芯部の周面のＹＺ断面の形状は、四角形であるが、四角形以外の多角形や円などの形状としてもよい。この場合、傾斜面および突起部を、周面の周方向の少なくとも一部に設けてもよい。例えば、巻芯部の断面形状が、円である場合、傾斜面を、中心角度が０°から２７０°の範囲に設け、突起部を、第１ワイヤの第２ワイヤとの交差部を避けて、中心角度が０°から２７０°の範囲に設けるようにしてもよい。
【００８３】
前記実施形態では、傾斜面を、平面を含むようにしたが、曲面のみとしてもよい。突起部の斜面を、平面としたが、曲面としてもよい。
【００８４】
前記実施形態では、天板を設けているが、天板を省略するようにしてもよい。
【００８５】
前記実施形態では、鍔部の端面に溝部を設けているが、溝部を省略するようにしてもよい。
【符号の説明】
【００８６】
１，１Ａ  コイル部品
１０  コア
１１  第１鍔部
１１１  底面
１１２  天面
１１３  第１側面
１１４  第２側面
１１５  内端面
１１６  外端面
１１６ａ  溝部
１２  第２鍔部
１２１  底面
１２２  天面
１２３  第１側面
１２４  第２側面
１２５  内端面
１２６  外端面
１２６ａ  溝部
１３，１３Ａ  巻芯部
１３１  第１端面
１３２  第２端面
１３３  底面
１３４，１３４Ａ  天面
１３５  第１側面
１３６  第２側面
１５  天板
２１  第１ワイヤ
２２  第２ワイヤ
３０  傾斜面
３１  平面部
３２  曲面部
４０  突起部
４１  第１斜面
４２  第２斜面
５１  第１電極
５２  第２電極
６０  凸面
６１  頂部
Ｌ  巻芯部の軸
【図１】
0006572555.tif 000003
【図２】
0006572555.tif 000004
【図３】
0006572555.tif 000005
【図４】
0006572555.tif 000006
【図５】
0006572555.tif 000007
【図６】
0006572555.tif 000008
【図７】
0006572555.tif 000009
【図８Ａ】
0006572555.tif 000010
【図８Ｂ】
0006572555.tif 000011
【図９】
0006572555.tif 000012
【図１０】
0006572555.tif 000013
【図１１】
0006572555.tif 000014
【図１２】
0006572555.tif 000015